(57)【特許請求の範囲】
【請求項１】
電気的接点を切り替える可動部を有するスイッチと、
前記可動部を可動させる切換部材と、
前記可動部と前記切換部材との間に、前記スイッチを覆うように配置されるシート状部材と、を有し、
前記切換部材は、前記シート状部材を介して前記可動部に嵌合する突起部を有し、
前記シート状部材は、複数の凸部と複数の凹部からなる凹凸部を有し、
前記複数の凸部のうち１の凸部は前記可動部の周囲を覆い、上記１の凸部に連なる凹部に前記突起部が入り込み、前記凹部に連なる他の凸部は前記突起部の周囲に複数の弛みを形成する、
ことを特徴とする電子機器の防水構造。
【請求項２】
前記シート状部材は、前記電子機器の筐体内部に収められ、前記筐体内部への浸水を防ぐように前記可動部と前記筐体の隙間に位置決め固定されていて、
前記切換部材の操作によって前記可動部を可動させたとき、前記弛みにより前記位置決め固定された状態は維持される、
ことを特徴とする請求項１記載の電子機器の防水構造。
【請求項３】
前記可動部は水平方向に摺動可能であって、
前記凹凸部は、前記可動部を中心として水平方向に形成されており、
前記可動部が前記切換部材によって摺動したときに、摺動方向における前記弛みの凹凸間隔は詰まり、摺動方向と反対方向における前記弛みの凹凸間隔は伸びる、
ことを特徴とする請求項１記載の電子機器の防水構造。
【請求項４】
前記可動部は多方向に傾斜可能であって、
前記凹凸部は、前記可動部を中心として水平方向に形成されており、
前記可動部が前記切換部材によって傾斜したときに、傾斜方向における前記弛みの凹凸間隔は詰まり、傾斜方向と反対方向における上記弛みの凹凸間隔は伸びる、
ことを特徴とする請求項１記載の電子機器の防水構造。
【請求項５】
電気的接点を切り替える可動部を有するスイッチと、
前記可動部を可動させる切換部材と、
を備えた電子機器であって、
前記可動部と前記切換部材の間に、前記スイッチを覆うようにシート状部材が配置されていて、
前記切換部材は、前記シート状部材を介して前記可動部に嵌合する突起部を有し、
前記シート状部材は、複数の凸部と複数の凹部を有する凹凸部を有し、
前記複数の凸部のうち１の凸部は前記可動部の周囲を覆い、前記１の凸部に連なる凹部に前記突起部が入り込み、前記凹部に連なる他の凸部は前記突起部の周囲に複数の弛みを形成する、
ことを特徴とする電子機器。
【発明の詳細な説明】
【技術分野】
【０００１】
本発明は、電子機器の防水構造に関するものであって、詳しくは、電子機器の防水に用いる素材（防水素材）の弾性によってスイッチ操作が邪魔されることなく、かつ、防水素材の劣化を防ぐことができる電子機器の防水構造および、同構造を有する電子機器に関するものである。
【背景技術】
【０００２】
電子機器を防水にするために、当該電子機器を収めても使用でき、かつ、防水性を備えたケース（防水ケース）が知られている（特許文献１を参照）。
【０００３】
特許文献１に記載された防水ケースは、電子機器を内部に収めた状態でも電子機器の操作ボタンやスイッチを操作できるように、防水ケースの表面に、操作ボタンやスイッチの操作に用いられる部材が配置されている。これら部材と、ケース筐体の接合部分には、当然ながら防水構造を有している。
【０００４】
また、電子機器自体が防水構造を備えているものが知られている。このような電子機器の防水構造は筐体の隙間や孔にシリコンやゴムなどの防水素材を配置させて、電子機器の内部に浸水することを防ぐものである。
【０００５】
このような電子機器の防水構造には課題がある。すなわち、電子機器の操作に用いられるスライドスイッチなどは周囲に防水素材を配置する必要があるため、これらスイッチの操作時には、この防水素材の弾性が邪魔となって動かしにくくなることがある。また、スイッチを所定の方向に可動させるときは、スイッチの可動方向と反対の方向に、防水素材が引っ張られるから、摩耗が生じて耐久性に悪影響を及ぼすこととなる。
【発明の概要】
【発明が解決しようとする課題】
【０００６】
本発明は上記の課題に鑑みてなされたものであって、電子機器の防水構造に用いる防水素材の可撓性や耐久性を損なうことなく、スイッチ類の操作感の向上も図ることができる電子機器の防水構造、および、同構造を有する電子機器を提供することを目的とする。
【課題を解決するための手段】
【０００７】
本発明は電子機器の防水構造に関するものであって、電気的接点を切り替える可動部を有するスイッチと、前記可動部を可動させる切換部材と、前記可動部と前記切換部材との間に、前記スイッチを覆うように配置されるシート状部材と、を有し、前記切換部材は、前記シート状部材を介して前記可動部に嵌合する突起部を有し、前記シート状部材は、複数の凸部と複数の凹部からなる凹凸部を有し、前記複数の凸部のうち１の凸部は前記可動部の周囲を覆い、前記１の凸部に連なる凹部に前記突起部が入り込み、前記凹部に連なる他の凸部は前記突起部の周囲に複数の弛みを形成する、こと最も主要な特徴とする。
【発明の効果】
【０００８】
本発明によれば、電子機器の防水構造において、スライドスイッチの周囲に配置された防水素材が、スライドスイッチの操作の邪魔にならず、また、スライドスイッチの操作によって生じる摩擦等によって防水素材が劣化することがない。
【図面の簡単な説明】
【０００９】
【図１】本発明に係る防水構造を備える電子機器の例であるデジタルカメラの外観を示す（ａ）正面斜視図、（ｂ）背面斜視図、である。
【図２】上記防水構造の例を示す電子機器の分解斜視図である。
【図３】上記防水構造の例を示す縦断面図である。
【図４】上記防水構造の例において、切換部材を操作した状態を示す縦断面図である。
【図５】上記防水構造に係る防水効果の例を示す縦断面図である。
【図６】本発明に係る防水構造を備える電子機器の別の例を示す分解斜視図である。
【図７】上記防水構造の別の例を示す縦断面図である。
【図８】上記防水構造の別の例において、切換部材を操作した状態を示す縦断面図である。
【図９】本発明に係る防水構造に用いるスイッチと防水シートの外観のさらに別の例を示す斜視図である。
【図１０】本発明に係る防水構造のさらに別の例を示す縦断面図である。
【図１１】上記防水構造のさらに別の例において、切換部材を操作した状態を示す縦断面図である。
【発明を実施するための形態】
【００１０】
以下、本発明に係る電子機器の防水構造の実施形態について、図面を参照しながら説明をする。
【００１１】
本発明に係る電子機器の防水構造の実施形態を説明するに当たって、電子機器の例としてデジタルカメラを用いることとする。図１は、本発明に係る防水構造を有するデジタルカメラの外観の例を図１（ａ）の正面斜視図と、図１（ｂ）の背面斜視図を用いて説明する。図１（ａ）に示すようにデジタルカメラ１０は、上面に押しボタン式のシャッタースイッチ１が配置されている。また、図１（ｂ）に示すように、背面には押しボタン式の背面操作ボタン群２およびスイッチ３が配置されている。なお、スイッチ３はデジタルカメラ１に上面に配置されてもよい。図１（ｂ）に例示したスイッチ３はスライドスイッチであるが、本発明に係る電子機器の防水構造を適用可能なスイッチはスライドスイッチに限るものではない。
【００１２】
次に、本発明に係る電子機器の防水構造の実施形態について、図２に示す電子機器の防水構造の主要部の分解斜視図を用いて説明する。図２において、符号１００は、スイッチ３の周囲に係るデジタルカメラ１０の筐体の一部である外カバーを示している。
【００１３】
図２に示すように、外カバー１００の内部には、スイッチ３を構成する部材である切換部材３１と、Ｏリング３２と、内カバー３３と、防水シート３４と、スイッチ３５と、基板３６と、が配置されている。
【００１４】
切換部材３１の上部は外カバー１００に形成されている孔１０１から露出して、利用者が操作する操作部となる。また、切換部材３１は、２つの突起部を有している。この突起部は、操作部とは反対側であって、図中下方向に所定の寸法をもってなる。切換部材３１の突起部は、内カバー３３の天面部に形成されている孔３３１を通して下方に突出し、後述するスイッチ３５の可動部３５１を挟むことができるように形成されている。切換部材３１の操作部をデジタルカメラ１０の利用者が操作すると、スイッチ３５の可動部３５１を可動させることができる。これらの動作によって、デジタルカメラ１０が有する電気的接点の切り替え動作を行うことができる。
【００１５】
内カバー３３は、外観が箱状の形態を有する立方体の内部を中空にしたものであって、後述する防水シート３４を挟みながらスイッチ３５の周囲に覆い被せることができる形状を有している。内カバー３３の天面には、孔３３１が形成されている。この孔３３１は切換部材３１の突起部をスイッチ３５に嵌合できるようにするためのものであって、切換部材３１が所定の方向に可動できるように、所定の横寸法を有してなる。
【００１６】
また、内カバー３３の天面部には、孔３３１の外周に溝３３２が形成されている。溝３３２には、Ｏリング３２が嵌合される。外カバー１００の内壁面と内カバー３３の天面部が接した状態でスイッチ３は組み付けられる。この組み付け状態において、孔１０１と切換部材３１の隙間から入った水は、外カバー１００の内壁面と内カバー３３の天面部の間を抜けてデジタルカメラ１０の内部に向かうことになる。その浸水を防止するために、Ｏリング３２が配置されている。
【００１７】
防水シート３４は、切換部材３１とスイッチ３５の可動部３５１との間に配置される防水素材からなるシート状の部材であって、スイッチ３５を覆うことができるように、波状の外形（蛇腹形状）を有する凹凸部３４１が内カバー３３との対向面に形成されている。凹凸部３４１は、複数の凸部を有してなり、この複数の凹凸のうち、略中央の凸部は可動部３５１の周囲を覆い、その他の凸部は、可動部３５１の周囲に形成される弛みとなる。
【００１８】
スイッチ３５の可動部３５１は、図中左右方向に摺動させることで電気的接点を切り替えることができるものである。基板３６は、スイッチ３５の可動部３５１によって切り替えられた電気的接点に応じて、当該電子機器の動作を制御する電子回路を備えた回路基板である。
【００１９】
次に、本実施例に係る防水構造について、図３の縦断面図を用いて説明をする。図３において、切換部材３１は、外カバー１００の表面に形成されている孔１０１から、その一部が外部に露出して操作可能になっている。この露出している部分が操作部となる。また、操作部の下部には、下方向に突出する２つの突起部を備えている。この突起部が、防水シート３４を介してスイッチ３５の可動部３５１に嵌合し、操作部を移動させることで、電気的接点を切り替えることができるように構成されている。
【００２０】
防水シート３４の凹凸部３４１を形成する複数の凸部のうち、中央の凸部（凹凸部３４１ａ）は、前述のとおり、スイッチ３５の可動部３５１の周囲に覆い被さるようになっている。この凹凸部３４１ａに連なる部分の凹部には、切換部材３１の突起部が入り込むようになっている。また、凹凸部３４１のうち、スイッチ３５の突起部分の周辺に位置する２つの凹凸部３４１ｂと凹凸部３４１ｃは、弛み部となっている。切換部材３１の突起部は、防水シート３４の凹凸部３４１ａと凹凸部３４１ｂおよび凹凸部３４１ｃによって覆われるようになっている。
【００２１】
ここで、図３において、スイッチ３５の可動部３５１は、３ポジションのものを例示しているが、２ポジションのものであってもよい。
【００２２】
上記実施例に係るスイッチ３を操作した例を図４に示す。図４は、切換部材３１を当初のポジションから右方向に移動した状態を示している。切換部材３１が右方向に移動されると、可動部３５１も、右方向に移動することになる。同時に、切換部材３１の突起部の移動に応じて防水シート３４の凹凸部３４１ｃ側の弛みは間が詰まって、可動部３５１を挟んで反対側の凹凸部３４１ｂの弛みは間延びするようになる。
【００２３】
防水シート３４は、内カバー３３の外壁端部と基板３６に挟まれて固定されているので、切換部材３１が移動すると、スイッチ３５の周囲を覆っている防水シート３４も同じ方向に移動することになるが、この移動によって防水シート３４に加わる変形は、内カバー３３と基板３６に挟まれて固定されている部分の防水シート３４に及ぶことはない。すなわち、スイッチ３５への操作によって防水シート３４に加わる力は、凹凸部３４１ｂと凹凸部３４１ｃの弛みにかかる変形によって吸収されるので、固定されている部分に、余計な力が加わることを防ぐことができる。これによって、防水機能を発揮する部分に余計な負荷がかかることを防ぐことができる。
【００２４】
このように本実施例に係る防水構造によれば、切換部材３１とスイッチ３５との間に複数の凹凸部を有する凹凸部３４１が形成されている防水シート３４を用いることで、切換部材３１が操作されてスイッチ３５の可動部３５１が移動しても、これに伴って防水シート３４に加わる力を凹凸部３４１が吸収し、操作方向と反対方向に作用する力を生じさせることも、また、固定部分への張力も生じさせることはないので、操作性を損なうことなく、耐久性に優れた防水構造を得ることができる。
【００２５】
上記実施形態の防水効果の例を図５に示す。図５において、符号２００で示した塗りつぶされた領域が浸水領域を示している。外カバー１００に形成されている孔１０１と切換部材３１の操作部の隙間からの浸水した水は、外カバー１００の内壁面と内カバー３３の天面の間において、Ｏリング３２によって防水されている。また、切換部材３１と内カバー３３の孔３３１との隙間から浸水した水は、内カバー３３の内壁面と防水シート３４によって、防水されている。
【００２６】
次に、本発明に係る電子機器の防水構造の別の実施形態について、図を用いて説明する。図６は、本発明に係る電子機器の防水構造の主要部の別の例を示す分解斜視図である。図６において、符号１００ａは、デジタルカメラ１０の筐体の一部である外カバーの一部のみを示している。
【００２７】
図６に示すように、外カバー１００ａの内部には、スイッチ３ａを構成する切換部材の別の例であるボタン型の切換部材３１ａと、Ｏリング３２と、内カバー３３ａと、防水シート３４ａと、可動部を有するスイッチ３５ａと、基板３６と、が配置されている。
【００２８】
切換部材３１ａの上部は、利用者が操作する操作部となる。切換部材３１ａは、外カバー１００ａに形成されている孔１０１ａから挿入されて後述するスイッチ３５ａの可動部３５２に嵌合する。この切換部材３１ａが有する突起部は、略筒状の外形を有しており、底面の端部には、可動部３５２が嵌合できるように穴が形成されている。なお、図６において、切換部材３１ａの穴は図示を省略している。切換部材３１ａの操作部をデジタルカメラ１０の利用者が操作すると、スイッチ３５ａの可動部３５２を可動させることができる。これらの動作によって、デジタルカメラ１０の電気的接点の切り替え動作を行うことができる。
【００２９】
内カバー３３ａは、平面視がロの字形状を有し、後述する防水シート３４ａとスイッチ３５ａの周囲に被せることができる形状を有している。内カバー３３ａの平面中央部分には、孔３３１ａが形成されている。この孔３３１ａによって切換部材３１ａの突起部がスイッチ３５ａの可動部３５２に嵌合できるようになっている。
【００３０】
また、孔３３１ａの周囲には溝３３２ａが形成され、この溝３３２ａに、Ｏリング３２が嵌合される。外カバー１００ａの内壁面と内カバー３３ａが接した状態でスイッチ３ａは組み付けられるので、組み付け状態において、孔１０１ａと切換部材３１ａの隙間から入った水は、外カバー１００ａの内壁面と内カバー３３ａとの間を抜けて内部に向かう。その浸水を防止するために、Ｏリング３２が配置されている。
【００３１】
防水シート３４ａは、切換部材３１ａとスイッチ３５ａの可動部３５２との間に配置される防水素材からなるシート状の部材であって、スイッチ３５ａを覆うようことができるように、凹凸部３４２が形成されている。凹凸部３４２は、中央部と円周部に凸形状の盛り上がりが形成されており、中央の凸部と円周の凸部の間には凹部が形成されている。故に、凹凸部３４２の形状は中央の凸部と略同心円の凸部が所定の間隔を経て配置され、各凸部の間は凹部にて連結され、波状の外形（蛇腹形状）を有している。この凹凸部３４２が有する略中央の凸部はスイッチ３５ａの可動部３５２の周囲に覆い被さり、円周部の凸部は、可動部３５２の可動方向に追随して変形することができる弛みを形成している。
【００３２】
スイッチ３５ａはいわゆる多方向型のスイッチであって、可動部３５２を所定の方向に傾斜させることで、または、押し込む（プッシュする）ことで電気的接点を切り替えることができるものである。基板３６ａは、スイッチ３５ａの可動部３５２によって切り替えられた電気的接点に応じて、当該電子機器の動作を制御する電子回路を備えた回路基板である。
【００３３】
次に、本実施例に係る防水構造について、図７の断面図を用いて説明をする。図７において、切換部材３１ａは、外カバー１００ａに形成されている孔１０１ａから突起部が挿入されて、露出している部分は操作可能な操作部を構成している。孔１０１ａから挿入されている突起部は略円筒状の外形を有ており、その底面端部には、可動部３５２が嵌合可能な孔３１１ａが形成されている。
【００３４】
防水シート３４ａは、切換部材３１ａの突起部とスイッチ３５ａとの間に配置されており、複数の凸部を有する凹凸部３４２が形成されている。この凹凸部３４２を形成する複数の凸部のうち、中央の凸部（凹凸部３４２ａ）は、可動部３５２の周囲に覆い被さるようになっている。この凹凸部３４２ａに連なる部分の凹部には、切換部材３１の突起部が入り込むようになっている。また、凹凸部３４２のうち、スイッチ３５ａの突起部分の周辺に位置する凹凸部３４１ｂは、弛み部となっている。切換部材３１ａの突起部は、防水シート３４ａの凹凸部３４２ａと凹凸部３４１ｂによって覆われるようになっている。
【００３５】
上記実施例に係るスイッチ３ａを操作した例を図８に示す。図８は、切換部材３１ａを当初のポジションから図中右方向に傾斜した状態を示している。切換部材３１ａが右方向に傾斜されると、可動部３５２も、右方向に傾斜することになる。同時に、切換部材３１ａの突起部が防水シート３４ａの凹凸部３４２ｂ側を押し下げて、弛みの間が詰まり、可動部３５２を挟んで反対側の凹凸部３４２ｂの弛みは間延びするようになる。
【００３６】
防水シート３４ａは、内カバー３３ａの外壁端部と基板３６ａに挟まれて固定されているので、切換部材３１ａが傾斜すると、可動部３５２の周囲を覆っている防水シート３４ａも同じ方向に傾斜して引っ張られることになるが、この引っ張りによって防水シート３４ａに加わる変形は、内カバー３４ａと基板３６ａに挟まれて固定されている部分の防水シート３４ａに及ぶことはない。すなわち、スイッチ３５ａへの操作によって防水シート３４ａに加わる力は、凹凸部３４２ｂの弛みにかかる変形によって吸収されるので、固定されている部分に、余計な力が加わることを防ぐことができる。これによって、防水機能を発揮する部分に余計な負荷がかかることを防ぐことができる。
【００３７】
このように本実施例に係る防水構造によれば、切換部材３１ａとスイッチ３５ａとの間に複数の凹凸部を有する凹凸部３４２が形成されている防水シート３４ａを用いることで、切換部材３１ａの操作によってスイッチ３５ａの可動部３５２が傾斜しても、これに伴って防水シート３４ａに加わる力を凹凸部３４２が吸収し、操作方向と反対方向に作用する力を生じさせることも、また、固定部分への張力も生じさせることはないので、操作性を損なうことなく、耐久性に優れる防水構造を得ることができる。
【００３８】
なお、本実施例に用いたスイッチ３５ａの可動部３５２は、多方向に傾斜させるタイプを例示しているが、本発明に係る電子機器の防水構造を適用できるスイッチはこれに限ることはなく、可動部３５２を多方向にスライドさせることで接点を切り替えることができるものを用いてもよい。
【００３９】
次に、本発明に係る電子機器の防水構造のさらに別の実施形態について、図を用いて説明する。図９は、本実施例に係るスイッチ３ｂを構成する防水シート３４ａとスイッチ３５ｂを組み合わせた状態の外観の例を示す斜視図である。図９において、スイッチ３５ｂには、防水シート３４ｂが被せられている。防水シート３４ｂは、凹凸部３４３を有してなる。凹凸部３４３は、蛇腹形状の外観を有してなる。防水シート３４ｂの凹凸部３４３は、可動部３５３の周囲を覆う凸部である３４３ａと、スイッチ３５ｂの周囲を覆う凸部である３４３ｂと３４３ｃからなる複数の凸部を有し、３４３ｂと３４３ｃの間には凹部を有してなる。すなわち、既に説明をした実施形態においては、弛みを図中横方向に設けていたが、本実施例に係る防水シート３４ｂにおいては、弛みを図中縦方向に設けている。
【００４０】
次に、本実施例に係る防水構造について、図１０の断面図を用いて説明をする。図１０において、切換部材３１ｂは、外カバー１００ｂに形成されている孔１０１ｂから突起部が挿入されて、露出している部分は操作可能な操作部を構成している。孔１０１ｂから挿入されている突起部は略円筒状の外形を有ており、その底面端部の外径は筒状部分に比べて大きく広がっている。この底面端部の略中心に、可動部３５３が嵌合可能な孔３１１ｂが形成されている。
【００４１】
防水シート３４ｂは、切換部材３１ｂの突起部とスイッチ３５ｂとの間に配置されており、複数の凸部を有する凹凸部３４３が形成されている。この凹凸部３４３を形成する複数の凸部のうち、中央の凸部（凹凸部３４３ａ）は、可動部３５３の周囲に覆い被さるようになっている。この凹凸部３４３ａに連なる水平部分であって、周方向に形成されている凸部に至る平面部分と、切換部材３１ｂの突起部の底面端部が接するようになっている。また、凹凸部３４３のうち、周方向に形成されている凹凸部３４３ｂと凹凸部３４３ｃによって弛み部が形成されている。
【００４２】
上記実施例に係るスイッチ３５ｂを操作した例を図１１に示す。図１１は、切換部材３１ｂを当初のポジションから図中右方向に傾斜した状態を示している。切換部材３１ｂが右方向に傾斜されると、可動部３５３も、右方向に傾斜することになる。同時に、切換部材３１ｂの突起部が防水シート３４ｂを傾斜方向に押し下げるので、凹凸部３４３ｂと凹凸部３４３ｃとの間の弛みは、傾斜方向側においては間が詰まり（図１１のＡ部分）、可動部３５３を挟んで反対側の凹凸部３４３ｂと凹凸部３４３ｃとの間の弛みは間が広がるようになる（図１１のＢ部分）。
【００４３】
防水シート３４ｂは、内カバー３３ｂの外壁端部と基板３６ｂに挟まれて固定されているので、切換部材３１ｂが傾斜すると、可動部３５３の周囲を覆っている防水シート３４ｂも同じ方向に傾斜して引っ張られることになるが、この引っ張りによって防水シート３４ｂに加わる変形は、内カバー３４ｂと基板３６ｂに挟まれて固定されている部分の防水シート３４ｂに及ぶことはない。すなわち、スイッチ３５ｂが操作によって傾斜して防水シート３４ｂに力が加わると、凹凸部３４３ｂと凹凸部３４３ｃが変形することで、その力が吸収されてしまうので、固定されている部分にまで、余計な力が加わることはない。これによって、防水機能を発揮する部分に余計な負荷がかかることを防ぐことができる。
【００４４】
このように本実施例に係る防水構造によれば、切換部材３１ｂとスイッチ３５ｂとの間に複数の凹凸部を有する凹凸部３４３が形成されている防水シート３４ｂを用いることで、切換部材３１ｂの操作によってスイッチ３５ｂの可動部３５３が傾斜しても、これに伴って防水シート３４ｂに加わる力を凹凸部３４３が吸収し、操作方向と反対方向に作用する力を生じさせることも、また、固定部分への張力も生じさせることはないので、操作性を損なうことなく、耐久性に優れる防水構造を得ることができる。
【００４５】
本実施例に示した防水シート３４ｃのように、縦方向に凹凸部３４３を形成し、外観形状を蛇腹形状にすると、防水シート３４ｃの素材が有する弾性を利用した弛みの伸縮による変形力の吸収する実施形態に比べて、防水シート３４ｃ自体の伸びは少なくなる。その結果、防水シート３４ｃの劣化を防止することができる。
【００４６】
以上のように本発明に係る電子機器の防水構造は、所定の形状からなる弛みを備えたシート状の防水素材によって、電子機器の操作の用に供されるスイッチ類を覆うようことで、当該スイッチ類の周囲の隙間から浸水することを防ぐことができ、かつ、スイッチ類の操作によって、防水シートに加わる変形力を軽減させることができる。これによって、防水シートの弾性力によってスイッチ類の操作性が邪魔されることを防ぐことができる。
【００４７】
さらに、変形によって生じる力を弛みに吸収する構造を有しているので、防水シートへ加わる力による劣化（断裂や摩耗）を防ぐことができる。
【符号の説明】
【００４８】
１０  デジタルカメラ
３１  切換部材
３２  Ｏリング
３３  内カバー
３４  防水シート
３５  スイッチ
３６  基板
１００  外カバー
【先行技術文献】
【特許文献】
【００４９】
【特許文献１】特許第４３８９１６６号公報
【図１】
0005750984.tif 000002
【図２】
0005750984.tif 000003
【図３】
0005750984.tif 000004
【図４】
0005750984.tif 000005
【図５】
0005750984.tif 000006
【図６】
0005750984.tif 000007
【図７】
0005750984.tif 000008
【図８】
0005750984.tif 000009
【図９】
0005750984.tif 000010
【図１０】
0005750984.tif 000011
【図１１】
0005750984.tif 000012